【事件の表示】
　特許第３３７２２１４号「非接触ＩＣカードシートの製造方法及び製造装置」の請求項１ないし６に係る特許に対する特許異議の申立てについて、次のとおり決定する。
【結　論】
　特許第３３７２２１４号の請求項１ないし６に係る特許を維持する。
【理　由】
（本件発明）
　本件特許第３３７２２１４号の請求項１乃至１０に係るそれぞれの発明（平成１０年８月２９日出願、平成１４年１１月２２日設定登録）は、特許明細書及び図面の記載からみて、その特許請求の範囲に記載された次のとおりのものである。
「【請求項１】　搬送機構の高熱伝導体で構成した無端ベルトのキャリア側上面に長尺帯状かつ熱融着性の第一シートを配し、該第一シートの第一位置にある部位上に、薄型ＩＣチップとこれに接続したアンテナコイルとを載せ、この状態で、該薄型ＩＣチップ及びアンテナコイルと前記第一シートの該部位とを加熱しつつ相互に圧接させ、前記薄型ＩＣチップ及びアンテナコイルを第一シートの前記部位に融着させて固定し、
　次いで、前記無端ベルトを周回動作させ、これとともに前記薄型ＩＣチップ及びアンテナコイルを接合固着した第一シートの該部位を第二位置に移動させ、前記薄型ＩＣチップ及びアンテナコイルに、これらを前記第一シートとともに挟持するように、長尺帯状かつ熱融着性の第二シートを反対側から被覆し、次いで、加熱しつつ、該第二シートを薄型ＩＣチップ及びアンテナコイルと前記第一シートとに圧接して、該第二シートを該薄型ＩＣチップ及びアンテナコイルと前記第一シートとに融着させて固定することにより、第一及び第二シートで挟持固定された薄型ＩＣチップ及びアンテナコイルからなる非接触ＩＣカードシートを製造する非接触ＩＣカードシートの製造方法。
【請求項２】　前記無端ベルトとして、ステンレススチール製のベルトを採用した請求項１の非接触ＩＣカードシートの製造方法。
【請求項３】　前記第１シート及び第２シートとして、ポリエチレンテレフタレート製の不織布シートを採用した請求項１又は２の非接触ＩＣカードシートの製造方法。
【請求項４】　前記加熱を、ぞれぞれ１４０〜１６０℃の温度で、８〜１２秒間行なうこととした請求項３の非接触ＩＣカードシートの製造方法。
【請求項５】　前記圧接を、それぞれ５〜９kg/cm2の圧力で行なうこととした請求項３又は４の非接触ＩＣカードシートの製造方法。
【請求項６】　前記加熱を、前記無端ベルトの対応する部位を介して行なうこととした請求項１の非接触ＩＣカードシートの製造方法。
【請求項７】　高熱伝導体からなる無端ベルトを用いた搬送機構と、
　ロール状に巻いてある長尺帯状かつ熱融着性の第一シートを、前記無端ベルトのキャリア側始端付近から末端方向に向かって巻き出されるように案内する第一案内手段と、
　前記無端ベルトのキャリア側始端付近（第一位置）の下面に接して配した第一加熱手段と、
　薄型ＩＣチップ及びこれに接続したアンテナコイルを、それを構成する手段から前記無端ベルトの第一位置の上方まで移送し得る第一昇降押圧手段であって、該第一位置で、前記無端ベルト上に巻き出された前記第一シート上に該薄型ＩＣチップ及びこれに接続したアンテナコイルを押圧し得る第一昇降押圧手段と、
　ロール状に巻いてある長尺帯状かつ熱融着性の第二シートを、前記無端ベルトのキャリア側途中（第二位置）手前から末端方向に向かって巻き出されるように案内する第二案内手段と、
　前記無端ベルトの第二位置の下面に向かって昇降押圧し得る第二昇降押圧手段と、
　前記無端ベルトの第二位置の上面に巻き出された第二シート上に接し又は近接して配した第二加熱手段と、
　前記搬送機構の無端ベルトには間欠的な周回動作を行なわせ、これにともなって、間欠的に、第一シートは前記第一位置手前から、第二シートは前記第二位置手前から、それぞれキャリア側後端方向に引き込まれるようにし、他方、前記無端ベルトの間欠周回動作に於ける各停止時間中に、前記第一昇降押圧手段及び第二昇降押圧手段に押圧動作を行なわせ、かつ同時に第一加熱手段及び第二加熱手段に加熱動作を行なわせるとともに、間欠的な無端ベルトの動作に連動して行なわれる前記第一及び第二昇降押圧手段の前後の昇降押圧動作の間に、前記第一昇降押圧手段を薄型ＩＣチップ及びこれに接続したアンテナコイルを構成する手段との間を往復してこれを第一位置のキャリア側上面の上方まで運んで来るように制御する制御手段と、
　で構成した非接触ＩＣカードシートの製造装置。
【請求項８】　前記無端ベルトとして、ステンレススチール製のベルトを採用した請求項７の非接触ＩＣカードシートの製造装置。
【請求項９】　前記第１シート及び第２シートとして、ポリエチレンテレフタレート製の不織布シートを採用した場合には、前記第一加熱手段及び第二加熱手段による加熱を、ぞれぞれ１４０〜１６０℃の温度で、８〜１２秒間行なうこととした請求項７又は８の非接触ＩＣカードシートの製造装置。
【請求項１０】　前記押圧を、それぞれ５〜９kg/cm2の圧力で行なうこととした請求項９の非接触ＩＣカードシートの製造装置。」
（特許異議の申立ての理由）
　 特許異議申立人中藤信次は、証拠として甲第１号証（特開平１０−２１７６５８号公報）、甲第２号証（特開平８−１７５０６１号公報）、甲第３号証（特開平８−１９４８０１号公報）、甲第４号証（特開平１０−１２９１６５号公報）を提出し、本件請求項１乃至６に係るそれぞれの発明は、甲第１乃至４号証記載の発明に基づき当業者が容易に発明をすることができたものであるから、本件請求項１乃至６に係るそれぞれの発明の特許は、特許法第２９条第２号の規定に違反して特許されたものであるから、取り消すべき旨主張している。
（甲各号証記載の発明）
　甲第１号証には、ＩＣカードの製造方法に関する発明が記載されており、「【０００６】【発明の実施の形態】　以下、本発明のＩＣカードの製造方法について、添付図面に基づいて詳細に説明する。　図１は、本発明の方法に用いられるダブルベルトプレス方式を示す説明図である。この図に示すように、本発明によるダブルベルトプレス方式は、入口側の加熱ロール１，１’と出口側の冷却ロール２，２’を巻回するベルト３，３’が上下に配置され、前記下側の加熱ロール１’を、上側の加熱ロール１より外側に位置させ、加熱ロール１，１’と冷却ロール２，２’との間に、ハウジング４，４’が設けられている構成である。　本発明は、主にａ）加熱ロール１’によって予熱された熱可塑性プラスチックシート（以下、シートと略称する）５’上にＩＣモジュール６を載置する工程、ｂ）上下シート５，５’に挟持されたＩＣモジュール６がハウジング４内を通過する工程、ｃ）最後に上下シート５，５’に挟持されたＩＣモジュール６が、ベルト３，３’を介して冷却ロール２，２’から排出される工程、とからなる方法である。」、「【０００７】　そこで、まずａ）工程について説明する。　本発明に用いられる上下ベルト３，３’は、通常、外面が鏡面仕上げされた無端ステンレスベルトであり、加熱ロール及び冷却ロールにそれぞれ掛けて回転する。この２本のベルト３，３’は、対向する外面が所定の間隔となるように配置され、カレンダーロール（図示せず）等から分出しされた二枚のシート５，５’がそれぞれこの上側ベルト３及び下側ベルト３’の加熱ロール１，１’による加熱面に連続的に供給される。供給されたシート５，５’は、加熱ロール１，１’によってそれぞれ予熱され、下側ベルト３’上に供給されたシート５’上に、ＩＣモジュール６を連続的に載置する。　ベルト上で予熱されたシート５’上にＩＣモジュールを載置することにより、載置されたＩＣモジュールの位置ずれを起こすことなく、正確に次工程に移動させることができる。・・・」、「【０００８】　本発明に用いられるシートとしては、塩化ビニル系樹脂、低圧ポリエチレン、高圧ポリエチレン、ポリエステル、ポリスチレン、ポリプロピレン、ポリ塩化ビニリデン、ポリメチルペンテン、ポリビニルアルコール、メタクリル樹脂、フッ素樹脂、ポリカーボネート、エチレン?酢酸ビニル共重合体、ブタジエン樹脂、ＡＳ樹脂、ＡＢＳ樹脂等の単体、共重合体等、またはこれらの樹脂の２層以上の積層体等の熱可塑性樹脂、あるいはこれらの樹脂と織布または不織布等との積層体等が例示されるが、特には塩化ビニル系樹脂が好ましい。・・・」、「【０００９】・・・本発明に用いられるＩＣモジュールは、通常使用されるものであれば特に制限はないが、例えばＩＣチップとアンテナコイルとが結合されてなるものが用いられる。」、「【００１０】このようにシート５’上に載置されたＩＣモジュール６は、上下シート５，５’に挟持された状態で、ｂ）工程のハウジング内を通過する。　ハウジング４，４’は、上下ベルト３，３’の裏面側から対向状に取り付けられ、それぞれ第一加圧室８，８’と第二加圧室９，９’とを備えている。　第一加圧室８，８’内には、液状オイルが圧力媒体として供給され��被圧縮物は、上下ベルト３，３’の外側面に挟まれるように強く圧縮される。　このときの圧力条件は、１０〜５０ｋｇｆ／ｃｍ2 の範囲内であることが好ましく、圧力が５０ｋｇｆ／ｃｍ2 より大きい場合には、外観には影響はないが、ＩＣモジュールに破損が生じてしまうという不都合があり、また１０ｋｇｆ／ｃｍ2 未満の場合には、逆にＩＣモジュールには破損がないが、外観表面に凹凸が発生したり、あるいはエア溜りが発生するという不都合がある。」、「【００１１】　上記圧力媒体は、第一加圧室８，８’においては加熱媒体として、また第二加圧室９，９’においては冷却媒体としての役割を果たしており、供給されるオイルは、それぞれ所定の温度に制御されて第一加圧室８，８’及び第二加圧室９，９’内を循環し、上下ベルト３，３’の裏面に直接作用してベルト及び被圧縮物の加熱及び冷却を均一に行っている。　このときの第一加圧室内の温度は、５０〜１２０℃の範囲内が好ましく、また第二加圧室内の温度は、１０〜８０℃の範囲内であるのが好ましい。」、「【００１２】　シール部１０，１０’は、ハウジング４，４’の開口周縁部に設けられ、上下ベルト３，３’の裏面側と気密に接合されており、圧力媒体により上下ベルトを近づけるように押圧することができるように構成されている。　また、このシール部は、上記オイルがそれぞれの加圧室から外に漏洩するのを防ぎ、圧力が逃げないようにする役割を果たしており、製品の厚みの変化、すなわち、ベルトの上下に追従できるようになっている。さらに、このシール部は、ハウジング内において唯一、ベルトと固体接触している部分であり、上記オイルは、この固体接触している部分において摩擦抵抗を低減させる潤滑剤としての機能も兼ね備えている。」、「【００１３】　このように上下シート５，５’に挟持され、一体化されたＩＣモジュール６は、ｃ）工程である冷却ロール２，２’でさらに冷却され、上下ベルトから剥離し、外へ排出される。・・・」、「【００２０】【発明の効果】　本発明の方法によれば、製品表面の外観が優れ、かつＩＣモジュールを破損させることなくＩＣカードを効率的に得ることができ、また従来のバッチ式プレス方式に代えて連続プレス方式を採用することで著しく容易に、かつ生産効率を向上させたＩＣカード及び通常のカードを製造することができ、さらに不織布を介在させたものでは、積層界面のエア溜りの発生を防止することができるので、その産業上の利用価値は極めて高い。」と説明されている。
　甲第２号証には、ＩＣカードの上下フィルムの素材としてポリエチレンフタレートを用いること記載されている。
　甲第３号証には、ＩＣカードの上下の合成シートとしてポリエチレンフタレートを用いること、上下シートの中間に不織布を設けることが記載されている。
　甲第４号証には、上下カバーシートの間に、ポリエチレンフタレートの不織布を設けることが記載されている。
（判断）
　請求項１に係る発明について
　本件の請求項１に係る発明（以下、本件第１発明という。）は、加熱面や押圧面を、その動作後直ちに引き離すことできるようにすることを課題としている（従来は直ちに引き離すと不具合が生じていた）ところ、甲第１号証記載の発明は、加熱及び加圧をハウジング内のオイルによって行っており、加熱面や押圧面を直ちに引き離すと不具合が生じるということはないから、甲第１号証には、本件第１発明の課題が存在しない。
　また、本件第１発明は、まず、第一位置において、「薄型ＩＣチップ及びアンテナコイルと前記第一シートの該部位とを加熱しつつ相互に圧接させ、前記薄型ＩＣチップ及びアンテナコイルを第一シートの前記部位に融着させて固定」するとし、また、第二位置において、「第二シートを薄型ＩＣチップ及びアンテナコイルと前記第一シートとに圧接して、該第二シートを該薄型ＩＣチップ及びアンテナコイルと前記第一シートとに融着させて固定」することを特徴としているが、甲第１号証記載の発明は、ハウジングが設けられた位置にて、ＩＣカードを上下シートに固定するようにしており、本件第１発明と甲第１号証記載の発明とでは、固定の順序も固定の仕方も、まったく異なる。
　甲第２号証乃至甲第４号証にも、本件発明の上記特徴についての記載はない。
　したがって、本件第１発明が甲第１乃至４号証記載の発明に基づいて当業者が容易に発明をすることができたとすることはできない。
　請求項２乃至６は、請求項１を直接的あるいは間接的に引用しているから、その余の点を検討するまでもなく、上記請求項１にて検討したと同じ理由で、請求項２乃至６に係るそれぞれの発明は、甲第１乃至４号証記載の発明に基づいて当業者が容易に発明をすることができたとすることはできない。
（むすび）
　以上のとおりであって、特許異議申立ての理由及び証拠によっては、本件の請求項１乃至６に係る各発明の特許を取り消すことはできない。
　
　また、他に本件の請求項１乃至６に係る各発明の特許を取り消すべき理由を発見しない。      
【異議決定日】
平成１６年３月３１日（２００４．３．３１）